(57)【要約】【課題】  ウィルス繁殖を活発にする低湿度状態にせずに窓等への結露を防止する。【解決手段】  室内温度センサ１１の計測室内空気温度と外気温度センサ２１の計測外気温度とから、窓２０の室内面温度を演算窓室内面温度として演算し、演算窓室内面温度から窓２０の室内面温度に相当する空気の露点温度を演算露点温度として演算し、演算露点温度を露点とする前記計測室内空気温度の室内空気の室内相対湿度を演算室内相対湿度として演算する演算部２２と、室内相対湿度を計測室内相対湿度として計測する室内相対湿度センサ１２と、制御対象室１０の内部の空気に対して、制御された加湿量で加湿し、加湿された空気を出力空気として制御対象室１０の内部に出力する加湿器３と、計測室内相対湿度が演算室内相対湿度を超えないように、加湿器３における加湿量をフィードバック制御する相対湿度調節器２４とを有する空気調和システム。【選択図】      図１
2005042993.tif 000002
【特許請求の範囲】
【請求項１】
結露防止対象としての窓を有する制御対象室の内部に設けられ、室内空気温度を計測室内空気温度として計測する室内温度センサーと、
前記制御対象室の外部に設けられ、外気温度を計測外気温度として計測する外気温度センサーと、
前記計測室内空気温度と前記計測外気温度とから、前記窓の室内面の温度を演算窓室内面温度として演算し、前記演算窓室内面温度から、前記窓の室内面の温度に相当する空気の露点温度を演算露点温度として演算し、前記演算露点温度を露点とする前記計測室内空気温度の室内空気の室内相対湿度を演算室内相対湿度として演算する演算部と、
前記制御対象室の内部に設けられ、室内相対湿度を計測室内相対湿度として計測する室内相対湿度センサーと、
前記制御対象室の内部の空気に対して、制御された加湿量で加湿し、加湿された空気を出力空気として前記制御対象室の内部に出力する加湿器と、
前記演算部及び前記室内相対湿度センサーに接続され、前記計測室内相対湿度が前記演算室内相対湿度を超えないように、前記加湿器における前記加湿量をフィードバック制御する相対湿度調節器とを有することを特徴とする空気調和システム。
【請求項２】
請求項１に記載の空気調和システムにおいて、
前記演算部は、
前記計測室内空気温度と前記計測外気温度とから、前記窓の室内面の温度を演算窓室内面温度として演算する窓室内面温度演算部と、
前記演算窓室内面温度から、前記窓の室内面の温度に相当する空気の露点温度を演算露点温度として演算する露点温度演算部と、
前記演算露点温度を露点とする前記計測室内空気温度の室内空気の室内相対湿度を演算室内相対湿度として演算する相対湿度演算部とを有することを特徴とする空気調和システム。
【請求項３】
請求項１に記載の空気調和システムにおいて、
前記加湿器は、前記制御対象室の外部に設けられることを特徴とする空気調和システム。
【請求項４】
請求項１に記載の空気調和システムにおいて、
前記加湿器は、前記制御対象室の内部に設けられることを特徴とする空気調和システム。
【請求項５】
結露防止対象としての窓を有する制御対象室の内部に設けられ、室内空気温度を計測室内空気温度として計測する室内温度センサーと、
前記制御対象室の外部に設けられ、外気温度を計測外気温度として計測する外気温度センサーと、
前記計測室内空気温度と前記計測外気温度とから、前記窓の室内面の温度を演算窓室内面温度として演算し、前記演算窓室内面温度から、前記窓の室内面の温度に相当する空気の露点温度を演算露点温度として演算する演算部と、
前記制御対象室の内部の空気に対して、制御された加湿量で加湿し、加湿された空気を出力空気として前記制御対象室の内部に出力する加湿器と、
前記加湿器の出力空気の露点温度を計測露点温度として計測する露点温度センサーと、
前記演算部及び前記露点温度センサーに接続され、前記計測露点温度が前記演算露点温度を超えないように、前記加湿器における前記加湿量をフィードバック制御する露点温度調節器とを有することを特徴とする空気調和システム。
【請求項６】
請求項５に記載の空気調和システムにおいて、
前記演算部は、
前記計測室内空気温度と前記計測外気温度とから、前記窓の室内面の温度を演算窓室内面温度として演算する窓室内面温度演算部と、
前記演算窓室内面温度から、前記窓の室内面の温度に相当する空気の露点温度を演算露点温度として演算する露点温度演算部とを有することを特徴とする空気調和システム。
【請求項７】
請求項５に記載の空気調和システムにおいて、
前記加湿器は、前記制御対象室の外部に設けられることを特徴とする空気調和システム。
【請求項８】
請求項５に記載の空気調和システムにおいて、
前記加湿器は、前記制御対象室の内部に設けられることを特徴とする空気調和システム。
【発明の詳細な説明】
【技術分野】
【０００１】
本発明は、室内空気の温度湿度を所定の範囲に維持する空気調和システムにおける室内または給気の相対湿度または露点温度の加湿自動制御に関し、特に、寒冷地にある病院等の加湿自動制御に関するものである。
【背景技術】
【０００２】
従来の空気調和システムを図７に示す。図７の空気調和システムにおける加湿自動制御は以下のように行われる。
【０００３】
図７において、空調機１は、制御対象室１０に接続され、吸入空気を空気調和し、空気調和された空気を吐出空気として制御対象室１０の内部に吐出するものである。制御対象室１０内には室内温度センサー１１が設けられている。温度調節器１３は、室内温度センサー１１の検出温度を受け、空調機１内の加熱器２の温度制御弁２ａを調整する。温度調節器１３の調整下で、温度制御弁２ａは、加熱器２で加熱され制御対象室１０の内部へ吐出される空気の温度を制御する。
【０００４】
また、制御対象室１０内には、室内相対湿度センサー１２が設けられている。相対湿度調節器１４は、室内相対湿度センサー１２の検出湿度を受け、空調機１内の加湿器３の加湿制御弁３ａを調整する。相対湿度調節器１４の調整下で、加湿制御弁３ａは、室内相対湿度センサー１２の検出湿度が所定湿度になるように、加湿器３にて加湿され制御対象室１０の内部へ吐出される空気の湿度を制御する。このように、図７の空気調和システムでは、フィードバック制御によって制御対象室１０内の室内湿度を一定に保つ。
【０００５】
図７の空気調和システムでは、室内湿度を一定にするよう制御するので、寒冷地では外気温度が低くなると、窓（窓ガラス）２０の室内面に結露が発生する。結露によって生じる床等の湿潤な個所はかびやウィルスの繁殖場所となり、特に病院においては院内感染予防の重大な障害となっている。
【０００６】
そこで、結露を発生させないために、空調期間中のもっとも低い外気温に対応する相対湿度を想定して加湿自動制御を設定すれば、加湿期間を通じてきわめて低湿度の室内空気環境を維持することになる。
【０００７】
しかしながら、低湿度状態は居住者の健康に直接悪影響を及ぼすばかりでなく、風邪やインフルエンザなど空気感染病のウィルスの繁殖を活発にし、拡散しやすくする。
【０００８】
非特許文献１には、インフルエンザ・ヴィールスは、湿度が高くなると生存率が急に下がること、具体的には、室内の湿度がわずかに５％高くなるだけで、インフルエンザ・ヴィールスの生存率は５０％から３８％に下がり、室内の湿度がもっと上がれば、ヴィールスは増殖や生存が出来なくなること等が記載されている。
【０００９】
特許文献１には、ファンコイルユニットを外窓付近に設置し、吹き出し温風を外窓室内面に直接届くよう導くための覆いを設けた結露防止ペリメータ空調機が開示されている。
【００１０】
特許文献２には、通常の空気調和システムに、結露防止のためにファン、風導および窓面への吹き出し口を付設した窓面結露防止システムが開示されている。
【００１１】
これら特許文献１及び２に記載の技術は、空調設備の構造を積極的に改善して結露を解消している。
【非特許文献１】“リスクマネージメント：インフルエンザと加湿器の効果”、［オンライン］、病院新聞、小倉第一病院広報誌ＫＣジャーナル１９９９.０９．１５ＮＯ.２８９号、［平成１５年６月２３日検索］、インターネット＜ＵＲＬ：http://www.kdh.gr.jp/1999/byouinsin31.htm＞
【特許文献１】特許第２６５９５１３号公報
【特許文献２】特開２０００−１４６２２３号公報
【発明の開示】
【発明が解決しようとする課題】
【００１２】
本発明の課題は、風邪やインフルエンザなど空気感染病のウィルスの繁殖を活発にする低湿度状態に、室内空気環境をすることなく、窓等への結露の発生を防止できる空気調和システムを提供することにある。
【００１３】
本発明のもう一つの課題は、通常の空調設備の基本的構造を変更することなく、湿度制御方法のみを改善することによって無結露の条件範囲を積極的に活かした空気調和システムを提供することにある。
【００１４】
本発明のもう一つの課題は、設置スペースの制約を受けず、低コストで結露防止を実現できる空気調和システムを提供することにある。
【課題を解決するための手段】
【００１５】
本発明は、外気温度と室内空気温度とから推算した窓の室内面の温度を室内空気の結露点として加湿制御設定値を可変することによって、結露を発生しない範囲において最適な室内相対湿度に可及的に近づけるものである。
【００１６】
本発明による空気調和システムは、以下のとおりである。
【００１７】
（１）  結露防止対象としての窓を有する制御対象室の内部に設けられ、室内空気温度を計測室内空気温度として計測する室内温度センサーと、
前記制御対象室の外部に設けられ、外気温度を計測外気温度として計測する外気温度センサーと、
前記計測室内空気温度と前記計測外気温度とから、前記窓の室内面の温度を演算窓室内面温度として演算し、前記演算窓室内面温度から、前記窓の室内面の温度に相当する空気の露点温度を演算露点温度として演算し、前記演算露点温度を露点とする前記計測室内空気温度の室内空気の室内相対湿度を演算室内相対湿度として演算する演算部と、
前記制御対象室の内部に設けられ、室内相対湿度を計測室内相対湿度として計測する室内相対湿度センサーと、
前記制御対象室の内部の空気に対して、制御された加湿量で加湿し、加湿された空気を出力空気として前記制御対象室の内部に出力する加湿器と、
前記演算部及び前記室内相対湿度センサーに接続され、前記計測室内相対湿度が前記演算室内相対湿度を超えないように、前記加湿器における前記加湿量をフィードバック制御する相対湿度調節器とを有することを特徴とする空気調和システム。
【００１８】
（２）  上記（１）に記載の空気調和システムにおいて、
前記演算部は、
前記計測室内空気温度と前記計測外気温度とから、前記窓の室内面の温度を演算窓室内面温度として演算する窓室内面温度演算部と、
前記演算窓室内面温度から、前記窓の室内面の温度に相当する空気の露点温度を演算露点温度として演算する露点温度演算部と、
前記演算露点温度を露点とする前記計測室内空気温度の室内空気の室内相対湿度を演算室内相対湿度として演算する相対湿度演算部とを有することを特徴とする空気調和システム。
【００１９】
（３）  上記（１）に記載の空気調和システムにおいて、
前記加湿器は、前記制御対象室の外部に設けられることを特徴とする空気調和システム。
【００２０】
（４）  上記（１）に記載の空気調和システムにおいて、
前記加湿器は、前記制御対象室の内部に設けられることを特徴とする空気調和システム。
【００２１】
（５）  結露防止対象としての窓を有する制御対象室の内部に設けられ、室内空気温度を計測室内空気温度として計測する室内温度センサーと、
前記制御対象室の外部に設けられ、外気温度を計測外気温度として計測する外気温度センサーと、
前記計測室内空気温度と前記計測外気温度とから、前記窓の室内面の温度を演算窓室内面温度として演算し、前記演算窓室内面温度から、前記窓の室内面の温度に相当する空気の露点温度を演算露点温度として演算する演算部と、
前記制御対象室の内部の空気に対して、制御された加湿量で加湿し、加湿された空気を出力空気として前記制御対象室の内部に出力する加湿器と、
前記加湿器の出力空気の露点温度を計測露点温度として計測する露点温度センサーと、
前記演算部及び前記露点温度センサーに接続され、前記計測露点温度が前記演算露点温度を超えないように、前記加湿器における前記加湿量をフィードバック制御する露点温度調節器とを有することを特徴とする空気調和システム。
【００２２】
（６）  上記（５）に記載の空気調和システムにおいて、
前記演算部は、
前記計測室内空気温度と前記計測外気温度とから、前記窓の室内面の温度を演算窓室内面温度として演算する窓室内面温度演算部と、
前記演算窓室内面温度から、前記窓の室内面の温度に相当する空気の露点温度を演算露点温度として演算する露点温度演算部とを有することを特徴とする空気調和システム。
【００２３】
（７）  上記（５）に記載の空気調和システムにおいて、
前記加湿器は、前記制御対象室の外部に設けられることを特徴とする空気調和システム。
【００２４】
（８）  上記（５）に記載の空気調和システムにおいて、
前記加湿器は、前記制御対象室の内部に設けられることを特徴とする空気調和システム。
【００２５】
（９）  上記（２）又は上記（６）に記載の空気調和システムにおいて、
前記窓室内面温度演算部は、下記の演算式（１）によって前記窓の室内面の温度を演算することを特徴とする空気調和システム。
【００２６】
θｇｉ＝θｉ−｛（ｋ／αｉ）×（θｉ−θｏ）｝          （１）
ただし、θｇｉは窓の室内面の温度（℃）、
θｉは計測室内空気温度（℃）、
θｏは計測外気温度（℃）、
ｋは窓の熱貫流率（Ｗ／（ｍ２Ｋ））、
αｉは窓の室内側表面の熱伝達係数（Ｗ／（ｍ２Ｋ））である。
【発明の効果】
【００２７】
本発明によれば、風邪やインフルエンザなど空気感染病のウィルスの繁殖を活発にする低湿度状態に、室内空気環境をすることなく、窓等への結露の発生を防止できる空気調和システムを得ることができる。
【００２８】
更に、本発明によれば、通常の空調設備の基本的構造を変更することなく、湿度制御方法のみを改善することによって無結露の条件範囲を積極的に活かした空調システムを得ることができる。
【００２９】
また、本発明によれば、設置スペースの制約を受けず、低コストで結露防止を実現できる空気調和システムを得ることができる。
【発明を実施するための最良の形態】
【００３０】
次に本発明の実施例について図面を参照して説明する。
【００３１】
図１を参照すると、本発明の第１の実施例による空気調和システムは、制御対象室１０の空気調和を行うものであり、同様の参照符号で示す同様の部分を含む。制御対象室１０内には室内温度センサー１１が設けられている。温度調節器１３は、室内温度センサー１１の検出温度を受け、空調機１内の加熱器２の温度制御弁２ａを調整する。温度調節器１３の調整下で、温度制御弁２ａは、加熱器２で加熱され制御対象室１０の内部へ吐出される空気の温度を制御する。
【００３２】
制御対象室１０は、結露防止対象としての窓（窓ガラス）２０を有する。
【００３３】
この空気調和システムは、更に、制御対象室１０の内部に設けられた室内相対湿度センサー１２と、制御対象室１０の外部に設けられた外気温度センサー２１と、演算部２２と、加湿器３と、相対湿度調節器２４とを有する。
【００３４】
好ましくは、室内温度センサー１１は、制御対象室１０の内部の窓（窓ガラス）２０の室内面近傍に設けられ、外気温度センサー２１は、制御対象室１０の外部の窓（窓ガラス）２０の外面近傍に設けられる。
【００３５】
室内温度センサー１１は、室内空気温度を計測室内空気温度として計測するものである。
【００３６】
室内相対湿度センサー１２は、室内相対湿度を計測室内相対湿度として計測するものである。
【００３７】
外気温度センサー２１は、外気温度を計測外気温度として計測するものである。
【００３８】
演算部２２は、前記計測室内空気温度と前記計測外気温度とから、窓（窓ガラス）２０の室内面の温度を演算窓室内面温度として演算し、該演算窓室内面温度から、窓（窓ガラス）２０の温度に相当する空気の露点温度を演算露点温度として演算し、該演算露点温度を露点とする前記計測室内空気温度の室内空気の室内相対湿度を演算室内相対湿度として演算するものである。
【００３９】
詳細には、演算部２２は、前記計測室内空気温度と前記計測外気温度とから、窓（窓ガラス）２０の室内面の温度を演算窓室内面温度として演算する窓室内面温度演算部２５と、該演算窓室内面温度から、窓（窓ガラス）２０の室内面の温度に相当する空気の露点温度を演算露点温度として演算する露点温度演算部２６と、該演算露点温度を露点とする前記計測室内空気温度の室内空気の室内相対湿度を演算室内相対湿度として演算する相対湿度演算部２７とを有する。
【００４０】
窓室内面温度演算部２５は、下記の演算式（１）によって窓（窓ガラス）２０の室内面の温度を演算する。
【００４１】
θｇｉ＝θｉ−｛（ｋ／αｉ）×（θｉ−θｏ）｝          （１）
ただし、θｇｉは窓（窓ガラス）２０の室内面の温度（℃）、
θｉは計測室内空気温度（℃）、
θｏは計測外気温度（℃）、
ｋは窓（窓ガラス）２０の熱貫流率（Ｗ／（ｍ２Ｋ））、
αｉは窓（窓ガラス）２０の室内側表面の熱伝達係数（Ｗ／（ｍ２Ｋ））である。
【００４２】
加湿器３は、加湿制御弁３ａを備え、制御対象室１０の内部の空気に対して、加湿制御弁３ａによって制御された加湿量で加湿し、加湿された空気を出力空気として制御対象室１０の内部に出力する。
【００４３】
相対湿度調節器２４は、演算部２２及び室内相対湿度センサー１２に接続され、前記計測室内相対湿度が前記演算室内相対湿度を超えないように、加湿制御弁３ａを制御し、加湿器３における前記加湿量をフィードバック制御する。
【００４４】
なお、図１においては、加湿器３は、制御対象室１０の外部に設けられているが、加湿器３を、制御対象室１０の内部に設けても良い。
【００４５】
次に、図２を参照して、第１の実施例の動作を説明する。
【００４６】
図２において、外気温度センサー２１によって計測された外気温度Ａと、室内温度センサー１１によって計測された室内温度Ｂとから、窓室内面温度演算部２５は、窓（窓ガラス）２０（図１）の室内面温度Ｃを演算する。露点温度演算部２６は、窓（窓ガラス）２０の室内面温度Ｃに相当する空気の露点温度Ｄを演算する。相対湿度演算部２７は、露点温度Ｄを露点とする室内空気温度Ｂの室内空気の室内相対湿度Ｅを演算する。
【００４７】
相対湿度調節器２４は、室内相対湿度センサー１２によって計測された相対湿度Ｆが演算室内相対湿度Ｅを超えないように、加湿器３における加湿量をフィードバック制御する。
【００４８】
具体的には、相対湿度調節器２４は、相対湿度Ｅより若干低い値を設定値とし、室内相対湿度センサー１２によって計測された相対湿度Ｆを検出値とするフィードバック制御演算を行う。相対湿度調節器２４は、ある時点で演算された相対湿度Ｅが４２％であれば、これより若干（例えば、３％）低い３９％に設定値をリセットする。相対湿度調節器２４の出力Ｇは制御信号として加湿器３に与えられ加湿量が制御される。
【００４９】
このように、図１及び図２において、第１の実施例では、外気温度と室内温度から推算した窓（ガラス）室内面温度を露点とする室内空気相対湿度を算出する。そして、算出した相対湿度より若干低い値に設定値をリセットする室内相対湿度制御を行う。
【００５０】
ここで、図１及び図２の実施例の効果について数値的に述べる。
【００５１】
図３は、図１及び図２における窓（窓ガラス）２０が１板ガラス（厚さ５ｍｍ）の例であり、室内温度Ｂが２５℃°の場合の例である。
【００５２】
従来システムでは、シーズンを通じて（すなわち、外気温度に関係なく）、室内相対湿度が約２０％ＲＨに固定されるが、図１及び図２の実施例による空気調和システムでは、外気温度Ａが０℃のとき、窓ガラス室内面温度Ｃが８℃程度であり、室内相対湿度Ｅは３２％ＲＨ程度を保つことができる。また、外気温度Ａが５℃のとき、窓ガラス室内面温度Ｃが１１℃程度であり、室内相対湿度Ｅは４２％程度を保つことができる。
【００５３】
図４は、寒冷地における複層ガラスの例である。すなわち、図１及び図２における窓（窓ガラス）２０が複層ガラス（ガラス層厚さ３ｍｍ（ＦＬ３）＋空気層厚さ６ｍｍ（Ａ６）＋ガラス層厚さ３ｍｍ（ＦＬ３））の例であり、室内温度Ｂが２５℃°の場合の例である。
【００５４】
従来システムでは、シーズンを通じて（すなわち、外気温度に関係なく）、室内相対湿度が約２８％ＲＨに固定されるが、図１及び図２の実施例による空気調和システムでは、外気温度Ａが−１５℃のとき、窓ガラス室内面温度Ｃが９℃程度であり、室内相対湿度Ｅは３６％ＲＨ程度を保つことができる。また、外気温度Ａが−５℃のとき、窓ガラス室内面温度Ｃが１３℃程度であり、室内相対湿度Ｅは４７％程度を保つことができる。
【００５５】
図５を参照すると、本発明の第２の実施例による空気調和システムは、制御対象室１０の空気調和を行うものであり、同様の参照符号で示す同様の部分を含む。制御対象室１０外の空調機１の出力部には、出力空気（給気）の温度を検出する給気温度センサー３０が設けられている。温度調節器１３は、給気温度センサー３０の検出温度を受け、空調機１内の加熱器２の温度制御弁２ａを調整する。温度調節器１３の調整下で、温度制御弁２ａは、加熱器２で加熱され制御対象室１０の内部へ吐出される空気（給気）の温度を制御する。
【００５６】
制御対象室１０は、結露防止対象としての窓（窓ガラス）２０を有する。
【００５７】
この空気調和システムは、更に、制御対象室１０の内部に設けられた室内温度センサー１１と、制御対象室１０の外部に設けられた外気温度センサー２１と、演算部３２と、加湿器３と、露点温度センサー３１と、露点温度調節器３３とを有する。
【００５８】
好ましくは、室内温度センサー１１は、制御対象室１０の内部の窓（窓ガラス）２０の室内面近傍に設けられ、外気温度センサー２１は、制御対象室１０の外部の窓（窓ガラス）２０の外面近傍に設けられる。
【００５９】
室内温度センサー１１は、室内空気温度を計測室内空気温度として計測するものである。
【００６０】
外気温度センサー２１は、外気温度を計測外気温度として計測するものである。
【００６１】
演算部３２は、前記計測室内空気温度と前記計測外気温度とから、窓（窓ガラス）２０の室内面の温度を演算窓室内面温度として演算し、該演算窓室内面温度から、窓（窓ガラス）２０の温度に相当する空気の露点温度を演算露点温度として演算するものである。
【００６２】
詳細には、演算部３２は、前記計測室内空気温度と前記計測外気温度とから、窓（窓ガラス）２０の室内面の温度を演算窓室内面温度として演算する窓室内面温度演算部２５と、該演算窓室内面温度から、窓（窓ガラス）２０の室内面の温度に相当する空気の露点温度を演算露点温度として演算する露点温度演算部２６とを有する。
【００６３】
窓室内面温度演算部２５は、上述した演算式（１）によって窓（窓ガラス）２０の室内面の温度を演算する。
【００６４】
加湿器３は、加湿制御弁３ａを備え、制御対象室１０の内部の空気に対して、加湿制御弁３ａによって制御された加湿量で加湿し、加湿された空気を出力空気として制御対象室１０の内部に出力する。
【００６５】
露点温度センサー３１は、加湿器３の出力空気の露点温度を計測露点温度として計測する（なお、上述した給気温度センサー３０は、加湿器３の出力空気（給気）の乾球温度を計測するものであり、加湿器３の出力空気（給気）の露点温度を検出する露点温度センサー３１とは異なる。露点温度は、乾球温度と相対湿度から求まる絶対湿度（空気中の水分割合）によって決定される。）。
【００６６】
露点温度調節器３３は、演算部３２及び露点温度センサー３１に接続され、前記計測露点温度が前記演算露点温度を超えないように、加湿制御弁３ａを制御し、加湿器３における前記加湿量をフィードバック制御する。
【００６７】
なお、図５においては、加湿器３は、制御対象室１０の外部に設けられているが、加湿器３を、制御対象室１０の内部に設けても良い。また、図５においては、露点温度センサー３１も制御対象室１０の外部に設けられているが、加湿器３が制御対象室１０の内部に設けられた場合は、露点温度センサー３１も制御対象室１０の内部に設けられる。
【００６８】
次に、図６を参照して、第２の実施例の動作を説明する。
【００６９】
図６において、外気温度センサー２１によって計測された外気温度Ａと、室内温度センサー１１によって計測された室内温度Ｂとから、窓室内面温度演算部２５は、窓（窓ガラス）２０（図５）の室内面温度Ｃを演算する。露点温度演算部２６は、窓（窓ガラス）２０の室内面温度Ｃに相当する空気の露点温度Ｄを演算する。
【００７０】
露点温度調節器３３は、露点温度センサー３１によって計測された露点温度Ｈが演算露点温度Ｄを超えないように、加湿器３における加湿量をフィードバック制御する。
【００７１】
具体的には、露点温度調節器３３は、演算露点温度Ｄより若干低い値を設定値とし、露点温度センサー３１によって計測された露点温度Ｈを検出値とするフィードバック制御演算を行う。露点温度調節器３３は、ある時点で演算された露点温度が１１．３℃であれば、これより若干（例えば、１℃）低い１０．３℃に設定値をリセットする。露点温度調節器３３の出力Ｉは制御信号として加湿器３に与えられ加湿量が制御される。
【００７２】
このように、図５及び図６において、第２の実施例では、外気温度と室内温度から推算した窓（ガラス）室内面温度を露点とし、該露点より若干低い値に設定値をリセットする加湿器３の出力空気の露点温度制御を行う。
【００７３】
以上に述べたように本発明によれば、窓（窓ガラス）の室内面の結露を防止することができ、しかも、無結露範囲で最適室内湿度に近づけることができるという効果を得ることができる。
【図面の簡単な説明】
【００７４】
【図１】本発明の第１の実施例による空気調和システムのブロック図である。
【図２】図１の空気調和システムの動作を説明する制御フローである。
【図３】図１及び図２の効果の説明に使用する図である。
【図４】図１及び図２の効果の説明に使用する図である。
【図５】本発明の第２の実施例による空気調和システムのブロック図である。
【図６】図５の空気調和システムの動作を説明する制御フローである。
【図７】従来の空気調和システムのブロック図である。
【符号の説明】
【００７５】
１    空調機
２    加熱器
２ａ    温度制御弁
３    加湿器
３ａ    加湿制御弁
１０    制御対象室
１１    室内温度センサー
１２    室内相対湿度センサー
１３    温度調節器
１４    相対湿度調節器
２０    窓（窓ガラス）
２１    外気温度センサー
２２    演算部
２４    相対湿度調節器
２５    窓室内面温度演算部
２６    露点温度演算部
２７    相対湿度演算部
３０    給気温度センサー
３１    露点温度センサー
３２    演算部
３３    露点温度調節器
【図１】
2005042993.tif 000003
【図２】
2005042993.tif 000004
【図３】
2005042993.tif 000005
【図４】
2005042993.tif 000006
【図５】
2005042993.tif 000007
【図６】
2005042993.tif 000008
【図７】
2005042993.tif 000009